(57)【要約】【課題】無線または有線ＬＡＮに接続される複数の画像表示装置と情報端末装置において、所望の画像表示装置に、所望の情報端末装置を、効率よくかつ誤りなく接続させるための画像表示システムを提供することを目的とする。【解決手段】画像表示装置１０１は検索パケットを作成し、ブロードキャストにて送信する（Ｓ３）。情報端末装置１２０Ａ、１２０Ｂが検索パケットを受信すると、自分の持つ識別子情報を送信する（Ｓ５Ａ、Ｓ５Ｂ）。プロジェクター１１０は、識別子情報を受信し、記憶部から識別子情報リストを読み出し、受け取った識別子情報との比較を行い、新規の識別子情報であった場合には、新たにリストに追加し、識別子情報リストの更新を行う（Ｓ７Ａ、Ｓ７Ｂ）。  画像表示装置１０１に情報端末装置１２０Ａを接続する場合、識別子情報リストの中から情報端末装置１２０Ａに表示されている識別子情報と同じものを選択する（Ｓ８）。【選択図】図５
2008262034.tif 000002
【特許請求の範囲】
【請求項１】
複数の画像表示装置と情報端末装置の中から所望の画像表示装置に所望の情報端末装置をＬＡＮ接続する画像表示システムであって、
前記画像表示装置は、前記情報端末装置とＬＡＮを介して通信を行うための第１の通信部と、少なくとも前記情報端末装置を識別するための識別子を含む識別情報を有する検索リストを記憶する記憶部と、前記検索リストを表示させるための映像信号を生成する映像信号出力部と、前記検索リストから一つの情報端末装置を選択する選択部と、を含んで構成され、
前記情報端末装置は、前記画像表示装置とＬＡＮを介して通信を行うための第２の通信部と、端末装置自身を識別する識別情報を入力するための入力インターフェース部と、前記入力インターフェース部で入力した識別情報を表示するための表示インターフェース部と、を含んで構成され、
前記画像表示装置は、前記第１の通信部より前記情報端末装置を検索するための検索パケットの送信をブロードキャストに行い、
前記検索パケットを前記第２の通信部により受信した前記情報端末装置は、前記第２の通信部から前記情報端末装置の前記識別情報を含む検索応答パケットを前記画像表示装置に送信し、
前記画像表示装置は、前記第１の通信部より受信した検索応答パケットが前記検索リストに存在しない新規の前記情報端末装置からの応答である事を確認し、前記検索応答パケットが新規の前記情報端末装置からのものであった場合、前記情報端末装置の前記識別情報を前記記憶部の検索リストに追加する事を特徴とする画像表示システム。
【請求項２】
前記画像表示装置は前記識別情報が前記検索リストに追加されたとき、前記映像出力信号部により映像信号を生成して前記検索リストの表示更新を行う事を特徴とする請求項１記載の画像表示システム。
【請求項３】
前記情報端末装置の前記表示インターフェース部内の前記識別情報と同じ識別情報を、前記画像表示装置に表示されている前記検索リストから選択する事で、所望の前記画像表示装置に所望の前記情報端末装置を接続させる事を特徴とする請求項１記載の画像表示システム。
【請求項４】
識別情報はユーザー名情報である事を特徴とする請求項１乃至３のいずれかに記載の画像表示システム。
【請求項５】
識別情報としてさらにアイコン情報を付加する事を特徴とする請求項４記載の画像表示システム。
【発明の詳細な説明】
【技術分野】
【０００１】
本発明は、無線または有線ＬＡＮ（Ｌｏｃａｌ Ａｒｅａ Ｎｅｔｗｏｒｋ）に接続される複数の画像表示装置と情報端末装置において、所望の画像表示装置に、所望の情報端末装置を、効率よくかつ誤りなく接続させるための画像表示システムに関する。
【背景技術】
【０００２】
従来、所望の画像表示装置に、所望の情報端末装置を、効率よくかつ誤りなく接続させるための画像表示システムに関しては、画像表示装置に識別子を付与し、情報端末装置に各画像表示装置の情報を表示・選択させるようにした特許文献１や、画像表示装置側に事前に情報端末装置の情報を登録・選択させるようにした特許文献２等が知られている。
【特許文献１】特開２００６−２８５７０１号公報
【特許文献２】特開２００５−２８５０８７号公報
【発明の開示】
【発明が解決しようとする課題】
【０００３】
ところで、特許文献１のように、情報端末装置から画像表示装置を選択するような場合、作業者の操作ミス等で、所望の画像表示装置とは異なる画像表示装置を誤って選択してしまう可能性があった。また、特許文献２では、所望の情報端末装置を事前に登録しておく必要があった。さらに、登録されている情報端末装置がどの情報端末装置にあたるのかを示す識別子が、情報端末装置に明示されていないため、特に初めてそのシステムを見る人にとっては、登録されている情報端末装置がどの情報端末装置にあたるのかを把握する事は困難であった。
【０００４】
本発明は、上記実情に鑑みてなされたものであり、無線または有線ＬＡＮに接続される複数の画像表示装置と情報端末装置において、所望の画像表示装置に、所望の情報端末装置を、効率よくかつ誤りなく接続させるための画像表示システムを提供することを目的とする。
【課題を解決するための手段】
【０００５】
この課題を解決するために本発明の画像表示システムは、
複数の画像表示装置と情報端末装置の中から所望の画像表示装置に所望の情報端末装置をＬＡＮ接続する画像表示システムにおいて、前記画像表示装置は、前記情報端末装置とＬＡＮを介して通信を行うための第１の通信部と、少なくとも前記情報端末装置を識別するための識別子を含む識別情報を有する検索リストを記憶する記憶部と、前記検索リストを表示させるための映像信号を生成する映像信号出力部と、前記検索リストから一つの情報端末装置を選択する選択部とを備え、
前記情報端末装置は、前記画像表示装置とＬＡＮを介して通信を行うための第２の通信部と、端末装置自身を識別する識別情報を入力するための入力インターフェース部と、前記入力インターフェース部で入力した識別情報を表示するための表示インターフェース部とを備え、
前記画像表示装置は、前記第１の通信部より前記情報端末装置を検索するための検索パケットの送信をブロードキャストに行い、
前記検索パケットを前記第２の通信部により受信した前記情報端末装置は、前記第２の通信部から前記情報端末装置の前記識別情報を含む検索応答パケットを前記画像表示装置に送信し、
前記画像表示装置は、前記第１の通信部より受信した検索応答パケットが前記検索リストに存在しない新規の前記情報端末装置からの応答である事を確認し、前記検索応答パケットが新規の前記情報端末装置からのものであった場合、前記記憶部の検索リストに追加し、前記映像出力信号部により映像信号を生成して前記検索リストの表示更新を行い、
前記情報端末装置の前記表示インターフェース部内の前記識別情報と同じ識別情報を、前記画像表示装置に表示されている前記検索リストから選択する。
【発明の効果】
【０００６】
以上のように、本発明によれば、所望の画像表示装置に、所望の情報端末装置を効率よくかつ誤りなく接続出来るという有利な効果が得られる。
【発明を実施するための最良の形態】
【０００７】
以下、本発明の実施の形態について、図を用いて説明する。
【０００８】
（実施の形態１）
図１は、本発明の一実施の形態の画像表示システムの基本構成を示す図である。一般に、会議室や教室等の複数の部屋に、同じ画像表示システムが構築されている事が多い。この図では、２つの部屋にそれぞれ画像表示システム１００と２００が構築されている例を示している。画像表示システム１００は、画像表示装置１０１と２台の情報端末装置１２０Ａ、１２０Ｂとを無線ＬＡＮにてネットワークを構成したシステムである。ネットワークの構成手段としては、有線ＬＡＮや他の無線方式であっても良い。画像表示システム２００も同様の構成となっている。
【０００９】
画像表示装置１０１は、この例ではスクリーン１０２とプロジェクター１１０から構成され、プロジェクター１１０の通信部１１１には、無線ＬＡＮモジュールが内蔵されている。通信部１１１は、情報端末装置１２０Ａ、１２０Ｂ、２２０Ａ、２２０Ｂとの通信を行うものであり、検索、選択、接続といったパケットの送受信の他に、画像情報の受信にも使用される。画像表示装置２０１に関しても同様である。
【００１０】
情報端末装置１２０Ａ、１２０Ｂ、２２０Ａ、２２０Ｂは、この例ではパーソナルコンピュータを示している。各装置の通信部１２１Ａ、１２１Ｂ、２２１Ａ、２２１Ｂには、無線ＬＡＮモジュールが内蔵もしくは、スロットを介して外付けされている。通信部１２１Ａ、１２１Ｂ、２２１Ａ、２２１Ｂは、プロジェクター１１０、２１０と通信を行うものであり、検索、選択、接続といったパケットの送受信の他に、画像情報の送信にも使用される。
【００１１】
プロジェクター１１０（２１０も同様）には、情報端末装置１２０Ａ（１２０Ｂ、２２０Ａ、２２０Ｂも同様）のＩＰ、無線設定を自動で行い、画像情報の送信を可能にするアプリケーションが付属されている。情報端末装置１２０Ａ（１２０Ｂ、２２０Ａ、２２０Ｂも同様）にこのアプリケーションをインストールし、初めて起動すると、図２のような、情報端末装置の識別子を入力するための、識別子情報入力インターフェースが表示される。識別子２３０はアイコン情報、識別子２３１はユーザー名情報である。ユーザー名情報以外に、アイコン情報を付加する事で、ユーザー名が同じ場合でも区別し易くなる。
【００１２】
識別子情報の入力が終了すると、情報端末装置１２０Ａ（１２０Ｂ、２２０Ａ、２２０Ｂも同様)のＩＰ、無線設定が自動で行われ、図３のような、識別子情報表示インターフェースが表示される。ここには、プロジェクター１１０（２１０も同様)に接続するためのガイド表示とともに、その情報端末装置の識別子情報が表示される。
【００１３】
図４は、画像表示装置１０１（２０１も同様)の構成を概略的に示すブロック図である。プロジェクター１１０（２１０も同様)は、通信部１１１、記憶部１１２、制御部１１３、映像信号出力部１１４、リモコン受光部１１５、選択部１１６を備える。
【００１４】
通信部１１１は、検索、選択、接続パケットや画像データの送受信を行う部分である。
【００１５】
記憶部１１２は、検索により見つかった情報端末装置の識別子情報リストを、一時的に格納しておく部分である。
【００１６】
制御部１１３は、各部分からの情報を受けて、次に行うべき処理を判断するための部分である。
【００１７】
映像信号出力部１１４は、識別子情報リスト１４０の更新時や画像情報受信時に、映像の出力を行う部分である。
【００１８】
リモコン受光部１１５は、リモートコントローラ１３０からの制御コードを受信する部分である。
【００１９】
選択部１１６は、識別子情報リストから、所望の情報端末装置を選択するための部分である。
【００２０】
以上のように構成された本実施の形態の画像表示システムにおける実際のシーケンスを、図３〜図５を用いて説明する。
【００２１】
情報端末装置１２０Ａ、１２０Ｂには、図３の画面が表示されており、それぞれ検索パケットを受信待ちしている状態にあるとする（Ｓ０）。
【００２２】
リモートコントローラ１３０内の検索ボタンが押されると、それに相当する制御コードが送信される（Ｓ１）。
【００２３】
プロジェクター１１０が、リモコン受光部１１５でその制御コードを受信すると、制御部１１３にその制御コードが渡され、制御部１１３はＩＰ、無線設定を自動で行い、検索を開始する（Ｓ２）。
【００２４】
制御部１１３は検索パケットを作成し、通信部１１１に対して検索パケットの送信を命令する。その命令を受けて、通信部１１１は検索パケットをブロードキャストにて送信する（Ｓ３）。
【００２５】
情報端末装置１２０Ａ、１２０Ｂは、その検索パケットをそれぞれの通信部１２１Ａ、１２１Ｂにて受信する（Ｓ４）。
【００２６】
情報端末装置１２０Ａ、１２０Ｂが検索パケットを受信すると、それぞれ自分の持つ識別子情報２３０、２３１を通信部１２１Ａ、１２１Ｂにて送信する（Ｓ５Ａ、Ｓ５Ｂ）。
【００２７】
プロジェクター１１０は、通信部１１１にて識別子情報２３０、２３１を受信し、制御部１１３に識別子情報２３０、２３１を引き渡す（Ｓ６Ａ、Ｓ６Ｂ）。
【００２８】
その識別子情報２３０、２３１を受けて、制御部１１３は、記憶部１１２から識別子情報リスト１４０を読み出し、受け取った識別子情報２３０、２３１との比較を行い、新規の識別子情報２３０、２３１であった場合には、新たにリストに追加し、記憶部１１２に保存する。さらに、新たな識別子情報リスト１４０を含んだ映像信号を生成し、映像信号出力部１１４より映像信号の出力を行う事で、表示している識別子情報リスト１４０の更新を行う（Ｓ７Ａ、Ｓ７Ｂ）。
【００２９】
次に、画像表示装置１０１に情報端末装置１２０Ａを接続する場合、リモートコントローラ１３０、制御部１１３、リモコン受光部１１５、選択部１１６により、識別子情報リスト１４０の中から情報端末装置１２０Ａに表示されている識別子情報２３０と同じものを選択する（Ｓ８）。
【００３０】
選択部１１６は、識別子情報リスト１４０より対応する情報端末装置１２０Ａを選択し、制御部１１３は、選択部１１６により選択された情報端末装置１２０Ａに対して、選択通知を送信するよう、通信部１１１に対して命令する。その命令を受けて、通信部１１１は、対応する情報端末装置１２０Ａに対して、選択通知を送信する（Ｓ９）。
【００３１】
情報端末装置１２０Ａは、通信部１２１Ａにより、選択通知を受信する（Ｓ１０）。
【００３２】
情報端末装置１２０Ａは、選択通知を受信すると、プロジェクター１１０に接続した状態となり、プロジェクター１１０に対して、接続完了通知を送信するよう、通信部１２１Ａに命令する。その命令を受けて、通信部１２１Ａは、接続要求を送信する（Ｓ１１)。
【００３３】
プロジェクター１１０は、通信部１１１にて、情報端末装置１２０Ａからの接続完了通知を受信する。制御部１１３は、記憶部１１２から識別子情報リスト１４０を読み出し、識別子情報リスト１４０から情報端末装置１２０Ａの識別子情報を削除し、記憶部１１２に保存する。さらに、更新した識別子情報リスト１４０を含んだ映像信号を生成し、映像信号出力部１１４より映像信号の出力を行う事で、表示している識別子情報リスト１４０の更新を行う（Ｓ１２）。
【００３４】
従って、画像表示装置に表示されている識別子情報リストの中から、所望の情報端末装置に表示されている識別子情報を選択する事で、所望の情報端末装置に接続することができる。
【００３５】
従って、図１で示すように、隣接する部屋に同様の画像表示システムが構築されている場合に、所望の画像表示装置に隣接する部屋の情報端末装置を誤って接続してしまうことも発生することはない。
【産業上の利用可能性】
【００３６】
本発明にかかる画像表示システムは、無線または有線ＬＡＮに接続される複数の画像表示装置と情報端末装置において、所望の画像表示装置に、所望の情報端末装置を、効率よくかつ誤りなく接続できる画像表示システムとして有用である。
【図面の簡単な説明】
【００３７】
【図１】本発明の一実施の形態の画像表示システムの基本構成図
【図２】本発明の一実施の形態の画像表示システムにおける情報端末装置の識別子情報入力インターフェースを表す図
【図３】本発明の一実施の形態の画像表示システムにおける情報端末装置の識別子情報表示インターフェースを表す図
【図４】本発明の一実施の形態の画像表示システムの画像表示装置の概略を示すブロック図
【図５】本発明の一実施の形態の画像表示システムの接続シーケンス図
【符号の説明】
【００３８】
１０１  画像表示装置
１１０  プロジェクター
１２０Ａ、１２０Ｂ  情報端末装置
１４０  識別子情報リスト
２３０、２３１  識別子
【図１】
2008262034.tif 000003
【図２】
2008262034.tif 000004
【図３】
2008262034.tif 000005
【図４】
2008262034.tif 000006
【図５】
2008262034.tif 000007